(57)【要約】【課題】  録画コンテンツを複数のユーザでシェア（共有）し、視聴するシステムにおいて、「タグ」を用いる検索のノイズを低減することが課題になっていた。【解決手段】  実施形態の電子機器は、予め登録された対象に基づいて作成された、録画コンテンツに関連付けられた第１のタグリストを受信する第１のタグリスト受信部を備える。  また、ユーザ操作に応じ、前記録画コンテンツに関連付けられた第２のタグリストを作成する第２のタグリスト作成部を備える。  また、前記第１のタグリストおよび前記第２のタグリストを表示可能なタグリスト表示部を備える。【選択図】  図１
2013097578.tif 000002
【特許請求の範囲】
【請求項１】
予め登録された対象に基づいて作成された、録画コンテンツに関連付けられた第１のタグリストを受信する第１のタグリスト受信部と、
ユーザ操作に応じ、前記録画コンテンツに関連付けられた第２のタグリストを作成する第２のタグリスト作成部と、
前記第１のタグリストおよび前記第２のタグリストを表示可能なタグリスト表示部を備える電子機器。
【請求項２】
前記第１のタグリストは前記電子機器の外部に構成される請求項１に記載の電子機器。
【請求項３】
前記タグリスト表示部に表示された前記第１のタグリストおよび前記第２のタグリストは、選択的に削除可能に構成される請求項１に記載の電子機器。
【請求項４】
前記タグリスト表示部に表示された前記第１のタグリストおよび前記第２のタグリストの選択削除に係る情報を出力する選択削除情報出力部を備える請求項１に記載の電子機器。
【請求項５】
前記作成された第１のタグリストおよび第２のタグリストは前記電子機器の外部に構成される記憶部から出力され、これを受信するように構成される請求項１に記載の電子機器。
【請求項６】
前記電子機器の外部において前記第１のタグリストおよび前記第２のタグリストがマージ処理され、このマージ処理されたタグリストを受信可能な請求項５に記載の電子機器。
【請求項７】
前記電子機器の外部において、前記第１のタグリストおよび前記第２のタグリストの時間情報を用いて複数のタグリストがマージ処理され、このマージ処理されたタグリストを受信可能な請求項５に記載の電子機器。
【請求項８】
前記請求項１に記載の電子機器から出力された指示を受信し、この指示に応じて、前記第１のタグリストおよび前記第２のタグリストを用いて、前記映像コンテンツの所定場面を表示する映像表示部を備える映像表示装置。
【請求項９】
予め登録された対象に基づいて作成された、録画コンテンツに関連付けられた第１のタグリストを受信するステップと、
ユーザ操作に応じ、前記録画コンテンツに関連付けられた第２のタグリストを作成するステップと、
前記第１のタグリストおよび前記第２のタグリストを表示部に表示するステップを備える電子機器の制御方法。
【請求項１０】
予め登録された対象に基づいて作成された、録画コンテンツに関連付けられた第１のタグリストを受信するステップと、
ユーザ操作に応じ、前記録画コンテンツに関連付けられた第２のタグリストを作成するステップと、
前記第１のタグリストおよび前記第２のタグリストを表示部に表示するステップを電子機器に実行させる電子機器の制御プログラム。
【発明の詳細な説明】
【技術分野】
【０００１】
本発明の実施形態は、電子機器、映像表示装置、電子機器の制御方法、電子機器の制御プログラムに関する。
【背景技術】
【０００２】
近年、放送等で送信される映像コンテンツを受信し、録画可能な録画機器が普及している。
【０００３】
これらの録画機器の普及により、映像、画像、音楽、ゲーム、電子書籍等の録画コンテンツを、大量に得ることが可能になってきている。
【０００４】
これらの大量の録画コンテンツの中から所望の録画コンテンツを検索するために、例えば、録画コンテンツ自体に「タグ」と呼ばれる付帯情報を付与し、所望の録画コンテンツを検索することが行なわれている。
【０００５】
また、録画コンテンツの各場面においても、ユーザが所望する場面を効率的に見たいという要求がある。
【０００６】
この場合、例えば、上記と同様に、「タグ」と呼ばれる付帯情報を録画コンテンツの特定の場面に付与し、ユーザが所望する場面の検索に用いることが検討されている。
【０００７】
また、近年、上記録画コンテンツを複数のユーザでシェア（共有）し、視聴するシステムが提唱されている。
【０００８】
しかし、この場合、ユーザは複数である。このため、上記「タグ」は複数のユーザによって任意に付されることになる。
【０００９】
また、複数のユーザが上記録画コンテンツのシェア（共有）システムに関与することにより、無意味なタグが発生する可能性が増加し、上記「タグ」を用いる検索にノイズが増加することが問題になっていた。
【００１０】
このため、録画コンテンツを複数のユーザでシェア（共有）し、視聴するシステムにおいて、「タグ」を用いる検索のノイズを低減することが課題になっていた。
【先行技術文献】
【特許文献】
【００１１】
【特許文献１】特開２００８−１９１９３６号公報
【発明の概要】
【発明が解決しようとする課題】
【００１２】
録画コンテンツを複数のユーザでシェア（共有）し、視聴するシステムにおいて、「タグ」を用いる検索のノイズを低減することが課題になっていた。
【課題を解決するための手段】
【００１３】
実施形態の電子機器は、予め登録された対象に基づいて作成された、録画コンテンツに関連付けられた第１のタグリストを受信する第１のタグリスト受信部を備える。
【００１４】
また、ユーザ操作に応じ、前記録画コンテンツに関連付けられた第２のタグリストを作成する第２のタグリスト作成部を備える。
【００１５】
また、前記第１のタグリストおよび前記第２のタグリストを表示可能なタグリスト表示部を備える。
【図面の簡単な説明】
【００１６】
【図１】実施形態に係わる、録画コンテンツを複数のユーザでシェア（共有）し、視聴するシステムにおいて、タグリストを登録するようすを示す図。
【図２】実施形態に係わるシステムにおいて、タグリストを用い、電子機器がテレビに録画コンテンツの所望の場面を表示指示するようすを示す図。
【図３】実施形態に係わる、録画コンテンツを複数のユーザでシェア（共有）し、視聴するシステムを説明する図。
【図４】実施形態に係わるシステムにおける、電子機器に表示される操作画面を詳細に説明する図。
【図５】実施形態に係わるシステムにおける、映像表示装置（テレビ）の構成の一例を示す図。
【図６】実施形態に係わるシステムの動作を説明するフローチャート。
【図７】実施形態に係わるシステムにおけるタグリストの自動作成処理動作を説明するフローチャート。
【図８】実施形態に係わるシステムにおいて、タグリストにスコアを付加する動作を説明するフローチャート。
【図９】実施形態に係わるシステムにおいて、既存のタグリストを提示する動作を説明するフローチャート。
【発明を実施するための形態】
【００１７】
この実施形態は、例えば、録画コンテンツ（録画した番組等）をテレビ１１で再生中に電子機器（スマートフォンやスレート端末等）１４を用いて、ユーザが手動でタグリストを作成し、クラウドサーバを通じてサービス利用者間でタグリストを共有するタグリストシェアシステムを含む。
【００１８】
しかし、手動でタグリストを作成するだけではサービス利用者が拡大しにくいため、この実施形態のタグリストシェアシステムにおいては、自動的にタグリストを作成する処理も行う。
【００１９】
また、この実施形態のタグリストシェアシステムにおいては、検索対象を登録可能とし、個々のユーザが求めるタグリストを大量に作成するシステムを提供する。
【００２０】
また、この実施形態のタグリストシェアシステムにおいては、ユーザの故意、過失に関わらず、無意味なタグリストが作成された場合にサービスが使いにくくなることを防止するため、タグリストやユーザに対してランキングを付加して、有意なタグリストを抽出可能にする。
【００２１】
また、この実施形態のタグリストシェアシステムにおいては、例えば類似するタグリストをマージする動作を行なう。
【００２２】
以下、図面を参照し、実施形態を説明する。
【００２３】
図１は、実施形態に係わる、録画コンテンツを複数のユーザでシェア（共有）し、視聴するシステムにおいて、タグリストを登録するようすを示す図である。
【００２４】
この実施形態においては、クラウド（サーバ）１５を用い、録画コンテンツ（録画番組等）のお気に入りシーンやおすすめシーンの情報を、電子機器（スマートフォン等）１４を介し、ユーザ間で共有する。
【００２５】
これらは、タグリストをシェア（共有）するので、例えば、「タグリストシェア」と呼ぶ。この「タグリストシェア」は、例えば、テレビやレコーダー、スレート型タブレットＰＣ、スマートフォンなどを連携させる。
【００２６】
「タグリストシェア」は、例えば、ハードディスク録画の普及に伴い、録画保存した番組（録画コンテンツ）の話題のシーン等から、興味のあるものを選んで効率良く視聴したいというユーザニーズに対応するシステムである。
【００２７】
すなわち、例えば、録画した番組の話題のシーン、スポーツ中継の名場面、音楽番組の出演者ごとの頭出しなどの情報を、「タグ」というコメント付の時間情報としてまとめた「タグリスト」としてサーバ上で、ユーザ間で共有・活用する。
【００２８】
この実施形態に係る「タグリストシェア」は、例えば、より多くのユーザやコンテンツホルダーが「タグリスト」を公開・共有することで拡大する。
【００２９】
ここでは、図１に示すように、過去に放送された番組等の録画コンテンツを、例えば一定期間、保存する番組ＤＢ（データ蓄積手段）１３を構成する。
【００３０】
また、画像検索やタグリストの管理などを行なうクラウド（サーバ）１５、ユーザがテレビを操作したり、タグリストを作成したりするための電子機器（モバイル端末）１４、録画機能を備えたデジタルテレビ１１を構成する。
【００３１】
番組ＤＢ（データ蓄積手段）１３に保存するデータは、例えば、映像、音声、番組タイトル、放送時間に関する情報等である。
【００３２】
そして、画像検索や音声検索の際に使用する画像特徴量、音声特徴量を、蓄積された映像、音声データから抽出して保存する。
【００３３】
特徴量の計算は、例えば、クラウド（サーバ）１５が行なう。
【００３４】
処理手順の一例は、以下の通りである。
【００３５】
まず、テレビ１１から電子機器（モバイル端末）１４に、ユーザが現在視聴中の番組のタイトル、放送日時を送信し、ユーザがタグを入力するための空のリストを表示する。
【００３６】
ユーザは検索対象のコーナーの冒頭部に対して、電子機器（モバイル端末）１４でタグを作成する（タグリスト作成２）。
【００３７】
ここでは、タグとは、例えば、その録画コンテンツの場面の時間情報とコメントを備える。
【００３８】
図２は、実施形態に係わるシステムにおいて、タグリストを用い、電子機器がテレビに録画コンテンツの所望の場面を表示指示するようすを示す図である。
【００３９】
次に、ユーザは電子機器（モバイル端末）１４を操作し、上記手動で作成したタグリスト２をクラウド（サーバ）１５に向けて送信する。この際、単に、クラウド（サーバ）１５上で公開するためにアップロードする場合と区別するために、例えば、検索要求の有無を示すフラグを付加する（タグリスト検索要求２２）。
【００４０】
クラウド（サーバ）１５は、この検索要求を受け取ると番組ＤＢ（データ蓄積手段）１３に蓄積された映像・音声データと、上記送信されたタグリストが示す映像・音声データのフレームを照合し、過去に放送された映像・音声データのフレームを検索する。
【００４１】
この際、予め計算しておいた画像特徴量や音声特徴量を用いると効率的に処理を行なうことが可能である。
【００４２】
そして、検索結果はタグリストとして番組ＤＢ（データ蓄積手段）１３に保存され、電子機器（モバイル端末）１４に向けて送信される（図１）。
【００４３】
電子機器（モバイル端末）１４は、上記受信したタグリストをさらにテレビ１１に送信する（図２、再生位置指定２４）。
【００４４】
テレビ１１は、録画コンテンツを検索して、受信したタグリストが示す録画コンテンツの場面を、例えば、番組タイトルと放送時間情報を元に検索する。
【００４５】
検索結果は、例えば、テレビ１１に表示する。ユーザは、この表示を見ながら検索結果の真偽を、電子機器（モバイル端末）１４を操作し、入力する。
【００４６】
そして、この判定結果は、クラウド（サーバ）１５にアップロードされる。
【００４７】
クラウド（サーバ）１５は、上記アップロードされた判定結果に基づいて、該当する番組ＤＢ１３に記憶されている録画コンテンツのタグリストを更新する。ここでは、例えば、偽と判定されたタグは削除する。
【００４８】
上記電子機器（モバイル端末）１４を用いた真偽情報の入力は、例えば、以下のように行なう。
【００４９】
ユーザは、表示画面８を見ながら、電子機器（モバイル端末）１４に表示されるカーソルキーを用い、上記検索結果の１つを指定する。
【００５０】
指定された検索結果は、例えば、外枠を黄色で表示する等して、指定されたことを明示する。
【００５１】
その検索結果の真偽を、電子機器（モバイル端末）１４のボタン（表示も可）をユーザが操作することで入力が行なわれる。
【００５２】
例えば、表示画面８の一部に、“検索結果が正しい場合は青、間違っている場合は赤のボタンを押してください”等のメッセージを表示しても良い。
【００５３】
そして、上記真偽の入力が終了した検索結果には、例えば、表示画面８の該当箇所にそのことを明示する記号を表示する。
【００５４】
また、同一番組に複数のタグリストが存在する場合は、各タグリストの時間情報を参照し、類似する時間情報を持つタグを抽出する。
【００５５】
次に、上記抽出されたタグのコメントと該当場面の画像を参照する。
【００５６】
そして、例えば、いずれも類似する場合には、それらのタグをマージする。例えば、ここで行なうマージは、上記類似するタグのどちらか一方を削除しても良い。
【００５７】
図３は、実施形態に係わる、録画コンテンツを複数のユーザでシェア（共有）し、視聴するシステムを説明する図である。
【００５８】
この実施形態においては、ユーザが電子機器（スマートフォン等）１４を操作し、図３（ａ）に示す操作画面を表示し、操作する。
【００５９】
そして、ユーザが、例えば、図３（ａ）に示すタグリスト一覧表示ボタン３１を操作する。すると、ここでは、図３（ｂ）に示すタグリスト一覧（サーバ）画面が表示される。
【００６０】
ここでは、タグリスト３２ａやタグリスト３２ｂ等が表示されるタグリスト一覧画面が表示される。
【００６１】
そして、例えば、ユーザ操作により、タグリスト３２ａが選択操作されると、図３（ｃ）に示す「攻撃場面集」の表示が表示される。
【００６２】
この「攻撃場面集」の表示には、図３（ｃ）に示すように、さらに、上記「攻撃場面集」に関連する、タグリスト一覧画面（タグリスト１）が表示される。
【００６３】
また、この図３（ｃ）に示すタグリスト一覧の各タグは、図３（ｅ）に示すように、録画コンテンツ「ＴＳＢユナイテッド攻撃場面」の各タグに関連付けられている。
【００６４】
ここで、図３（ｅ）の録画コンテンツの左端は番組（すなわち録画コンテンツ）の先頭を、また、図３（ｅ）の録画コンテンツの右端は番組（すなわち録画コンテンツ）の末尾を示している。
【００６５】
すなわち、この実施形態において、「タグ」は、録画コンテンツにおける時間情報、すなわち、例えば、録画コンテンツの開始からの時間（または時間的な位置）情報を含んでいる。
【００６６】
そして、また、図３（ｂ）に示すタグリスト一覧（サーバ）画面から、例えば、ユーザ操作により、タグリスト３２ｂが選択操作されると、図３（ｄ）に示す「珍場面集」の表示が表示される。
【００６７】
この「珍場面集」の表示には、図３（ｄ）に示すように、さらに、上記「珍場面集」に関連する、タグリスト一覧画面（タグリスト２）が表示される。
【００６８】
また、この図３（ｄ）に示すタグリスト一覧の各タグは、図３（ｆ）に示すように、録画コンテンツ「珍プレー集」の各タグに関連付けられている。
【００６９】
ここでも、図３（ｆ）の録画コンテンツの左端は番組（すなわち録画コンテンツ）の先頭を、また、図３（ｅ）の録画コンテンツの右端は番組（すなわち録画コンテンツ）の末尾を示している。
【００７０】
図４は、実施形態に係わるシステムにおける、電子機器に表示される上記操作画面（図３（ａ）、図３（ｂ）、図３（ｃ）、図３（ｄ））を詳細に説明する図である。
【００７１】
上記のように、ユーザが、図３（ａ）に示すタグリスト一覧表示ボタン３１を操作すると、図３（ｂ）に示すタグリスト一覧（サーバ）画面が表示される。
【００７２】
図３（ｂ）は、タグリスト一覧画面の表示である。
【００７３】
ここでは、タグリスト３２ａは「ＴＳＢユナイテッド攻撃場面」、タグリスト３２ｂは「珍プレー集」である。また、ここでは、「スーパーセーブ」、「ゴール」、「かわいい観客発見」も表示される。
【００７４】
そして、上記のように、タグリスト３２ａが選択操作されると、図３（ｃ）に示す「攻撃場面集」の表示が表示される。
【００７５】
この「攻撃場面集」の表示には、図３（ｃ）に示すように、さらに、タグリスト一覧画面（タグリスト１）が表示される。
【００７６】
ここでは、タグリストは、「１．先発メンバー」、「２．フォーメーション」、「３．クロス攻撃  得点」、「４．コーナーキック」、「５．失点」、「６．ドリブル攻撃」、「７．フリーキック」の各タグが表示されている。
【００７７】
また、「１．先発メンバー」にはタグラー名３３ａが、「２．フォーメーション」にはタグラー名３３ｂが、「３．クロス攻撃  得点」にはタグラー名３３ｃが、「５．失点」にはタグラー名３３ｄが、「６．ドリブル攻撃」にはタグラー名３３ｄが付され、表示されている。
【００７８】
同様に、図３（ｂ）に示すタグリスト一覧（サーバ）画面から、タグリスト３２ｂ「珍プレー集」が選択操作されると、図３（ｄ）の「珍場面集」が表示される。
【００７９】
この「珍場面集」には、タグリスト一覧画面（タグリスト２）が表示される。
【００８０】
ここでは、タグリストは、「１．ボールが二つ」、「２．キーパーがポストとケンカ」、「３．審判と選手の乱闘」の各タグが表示されている。
【００８１】
また、「１．ボールが二つ」にはタグラー名３４ａが、「２．キーパーがポストとケンカ」にはタグラー名３４ｂが、「３．審判と選手の乱闘」にはタグラー名３４ａが付され、表示されている。
【００８２】
図５は、実施形態に係わるシステムにおける、映像表示装置（テレビ）の構成の一例を示す図である。
【００８３】
この実施形態においては、制御部１１１はＣＰＵ１１２を備えている。そして、ＣＰＵ１１２は電子機器（映像表示装置）１１を制御する。
【００８４】
また、ＲＡＭ１１３、ＲＯＭ１１４、フラッシュメモリ１１５は、例えば、制御部１１１で行われる処理に利用される。
【００８５】
例えば、放送局１２５からデジタル放送で映像コンテンツが放送される。放送局１２５から放送されたデジタル放送はチューナ１０３で受信され、選局処理が行われ、デジタル信号の映像コンテンツが信号処理部１０４に送信される。
【００８６】
信号処理部１０４で受信されたデジタル信号の映像コンテンツは信号処理が施され、音声処理部１０６および映像処理部１０５に送信される。
【００８７】
音声処理部１０６は、信号処理が施された映像コンテンツを受信し、音声処理を施した信号をスピーカ１０９に送信する。
【００８８】
スピーカ１０９は、音声処理が施された信号を受信し、音声を出力する。
【００８９】
また、映像処理部１０５は、信号処理が施された映像コンテンツを受信し、映像処理を施した信号を表示装置１０７に送信する。
【００９０】
表示装置１０７は、映像処理が施された信号を受信し、ＬＣＤパネル等で構成される表示画面（映像表示部）８に映像を表示する。
【００９１】
また、この実施形態においては、電子機器（映像表示装置）１１は内部記憶装置１１７を備えている。この内部記憶装置１１７は、上記外部記録機器１２と同様に、例えば、電子機器（映像表示装置）１１で受信された映像コンテンツを録画することが可能である。
【００９２】
また、この実施形態においては、電子機器（映像表示装置）１１は、上記のようにＵＳＢ接続やＬＡＮ接続される外部記憶機器１２を備えている。上記受信された映像コンテンツはこの外部記憶機器１２に記録することも可能である。
【００９３】
また、この実施形態においては、電子機器（映像表示装置）１１は、送受信部（ネットワークインターフェース）１２２、ネットワーク（インターネット）１２６を介してサーバ１２７に接続されており、例えば、インターネットで配信された映像コンテンツを受信し、上記と同様に、内部記憶装置１１７や外部記憶機器１２に記録することも可能である。
【００９４】
これらの処理は、上記のように、制御部１１１に制御される。
【００９５】
また、上記のように、電子機器（映像表示装置）１１に対するユーザの操作は、例えばリモコン（リモートコントローラ）１２１等の操作機器によって指示される。
【００９６】
図６は、実施形態に係わるシステムの動作を説明するフローチャートである。
【００９７】
ステップＳ２００は、ここでの開始ステップである。続いて、ステップＳ２０１に進む。
【００９８】
ステップＳ２０１は、映像コンテンツを受信し、録画するステップである。映像コンテンツの受信は放送に限られることはなく、例えば、インターネット配信された映像コンテンツを受信しても良い。続いて、ステップＳ２０２に進む。
【００９９】
ステップＳ２０２は、記憶部（例えば、外部録画機器１２、内部記録装置１１７等）に上記映像コンテンツを保存するステップである。続いて、ステップＳ２０３に進む。
【０１００】
ステップＳ２０３は、クラウド側（サーバ等）１５でタグリストを自動作成６するステップである。タグリストの自動作成は、例えば、画像検索を利用し、行なっても良い。ここでは、上記録画コンテンツに関連付けた情報を番組ＤＢ１３に保存する。続いて、ステップＳ２０４に進む。
【０１０１】
ステップＳ２０４は、電子機器（ＩＰリモコン１４等）を用い、ユーザが手動でタグリストを作成２するステップである。続いて、ステップＳ２０５に進む。
【０１０２】
ステップＳ２０５は、上記手動作成されたタグリストをクラウド（サーバ）１５にアップロード（３）し、上記録画コンテンツに関連付けた情報を番組ＤＢ１３に保存するステップである。続いて、ステップＳ２０６に進む。
【０１０３】
ステップＳ２０６は、番組ＤＢ１３に保存された上記複数のタグリスト（手動、自動）を上記のようにマージするステップである。続いて、ステップＳ２０７に進む。
【０１０４】
ステップＳ２０７は、番組ＤＢ１３に保存されたタグリストの時間情報を参照し、例えば数秒間程度の所定時間のタグリストの検出を行うステップである。続いて、ステップＳ２０８に進む。
【０１０５】
ステップＳ２０８は、上記所定時間に複数のタグリストが検出されたかを判別するステップである。上記所定時間に複数のタグリストが検出されたと判別される場合は、ステップＳ２０９に進む（Ｙｅｓ）。上記所定時間に複数のタグリストが検出されないと判別される場合は、ステップＳ２１０に進む（Ｎｏ）。
【０１０６】
ステップＳ２０９は、上記検出された複数のタグリストをマージし、この情報を番組ＤＢ１３に保存するステップである。続いて、ステップＳ２１０に進む。
【０１０７】
ステップＳ２１０は、番組ＤＢ１３から上記タグリスト（手動、自動）をダウンロードし、電子機器（ＩＰリモコン１４等）に表示するステップである。続いて、ステップＳ２１１に進む。
【０１０８】
ステップＳ２１１は、電子機器（ＩＰリモコン１４等）に表示されたタグリスト（手動、自動）の要否をユーザが判断するステップである。このタグリスト（手動、自動）の要否判断は、特に図示しないが、例えば、選択的に行なわれる。続いて、ステップＳ２１２に進む。
【０１０９】
ステップＳ２１２は、上記不要と判別されたタグリストがあるかを判別するステップである。上記不要と判別されたタグリストがあると判別される場合は、ステップＳ２１３に進む（Ｙｅｓ）。上記不要と判別されたタグリストはないと判別される場合は、ステップＳ２１４に進む（Ｎｏ）。
【０１１０】
ステップＳ２１３は、上記のように不要なタグリスト情報を番組ＤＢ１３から削除するステップである。続いて、ステップＳ２１４に進む。
【０１１１】
ステップＳ２１４は、上記のように、録画コンテンツに関連付けられ、番組ＤＢ１３に保存されたタグリスト情報を用い、所定場面の映像をテレビ１１の表示画面８に表示するステップである。続いて、ステップＳ２１５に進む。
【０１１２】
ステップＳ２１５は、終了ステップであり、ここでの処理は終了する。
【０１１３】
図７は、実施形態に係わるシステムにおけるタグリストの自動作成処理動作を説明するフローチャートである。
【０１１４】
ステップＳ３００は、ここでの開始ステップである。続いて、ステップＳ３０１に進む。
【０１１５】
ステップＳ３０１は、例えば、「見どころ」、「有名人」、「ハイライト」等の検索対象を番組ＤＢ１３に登録または修正するステップである。続いて、ステップＳ３０２に進む。
【０１１６】
ステップＳ３０２は、上記番組ＤＢ１３に記録された情報を用い、録画コンテンツから検索対象に合致する画像を検出するステップである。続いて、ステップＳ３０３に進む。
【０１１７】
ステップＳ３０３は、検索対象に合致する画像はあるかを判別するステップである。検索対象に合致する画像はあると判別される場合は、ステップＳ３０４に進む（Ｙｅｓ）。検索対象に合致する画像はないと判別される場合は、ここでの処理を繰り返す（Ｎｏ）。
【０１１８】
ステップＳ３０４は、検索対象に合致するタグリストを自動作成するステップである。続いて、ステップＳ３０５に進む。
【０１１９】
ステップＳ３０５は、自動作成されたタグリストを録画コンテンツに関連付けて番組ＤＢ１３に保存するステップである。続いて、ステップＳ３０６に進む。
【０１２０】
ステップＳ３０６は、上記検索対象の追加または修正があるかを判別するステップである。上記検索対象の追加または修正があると判別される場合は、ステップＳ３０１に進み、上記処理を繰り返す（Ｙｅｓ）。上記検索対象の追加または修正があると判別されない場合は、ステップＳ３０７に進む（Ｎｏ）。
【０１２１】
ステップＳ３０７は、終了ステップであり、ここでの処理は終了する。
【０１２２】
図８は、実施形態に係わるシステムにおいて、タグリストにスコアを付加する動作を説明するフローチャートである。
【０１２３】
ステップＳ４００は、ここでの開始ステップである。続いて、ステップＳ４０１に進む。
【０１２４】
ステップＳ４０１は、テレビ１台（例えば、テレビ１１）に対し、Ｎ個のＩＤを発行するステップである。続いて、ステップＳ４０２に進む。
【０１２５】
ステップＳ４０２は、特定のユーザと上記特定のＩＤを対応付けるステップである。続いて、ステップＳ４０３に進む。
【０１２６】
ステップＳ４０３は、利用者が多い等、有効なタグリストを作成したユーザには、例えば、１００点等の高いスコアをつけ、有効ではないタグリストを作成したユーザには、例えば、５点等の低いスコアをつけるステップである。続いて、ステップＳ４０４に進む。
【０１２７】
ステップＳ４０４は、上記スコアの高いユーザのタグリスト評価を重視するステップである。続いて、ステップＳ４０５に進む。
【０１２８】
ステップＳ４０５は、終了ステップであり、ここでの処理は終了する。
【０１２９】
すなわち、ここでは、上記のように、例えば、テレビ１台に対してN個（Nは正の整数）のIDを発行し、そのIDを使って自分以外のユーザに対してスコアを付ける。
【０１３０】
そして、有効なタグリストを作成したユーザには高いスコアを、そうでないユーザには低いスコアを付ける。
【０１３１】
このようにして、各ユーザが付けたスコアをサーバ１５上で統合して、各ユーザのスコアを算出する。
【０１３２】
そして、算出された各ユーザのスコアは、タグリストのスコアを算出する際の重みとして用いる。
【０１３３】
すなわち、スコアの高いユーザによるタグリスト評価結果は、低いスコアを持つユーザよりも重視されるようにタグリストのスコアを決める。具体的には、重み付き平均によりタグリストのスコアを決める。
【０１３４】
図９は、実施形態に係わるシステムにおいて、既存のタグリストを提示する動作を説明するフローチャートである。
【０１３５】
ステップＳ５００は、ここでの開始ステップである。続いて、ステップＳ５０１に進む。
【０１３６】
ステップＳ５０１は、ユーザが電子機器１５を操作し、上記のように手動でタグリストの作成を開始したかを判別するステップである。ユーザが電子機器１５を操作し、上記のように手動でタグリストの作成を開始したと判別される場合は、ステップＳ５０２に進む（Ｙｅｓ）。ユーザが電子機器１５を操作し、上記のように手動でタグリストの作成を開始したと判別されない場合は、ここでの処理を繰り返す（Ｎｏ）。
【０１３７】
ステップＳ５０２は、電子機器（ＩＰリモコン等）１４からクラウド（サーバ）１５に番組情報と上記時間情報を送信するステップである。続いて、ステップＳ５０３に進む。
【０１３８】
ステップＳ５０３は、クラウド（サーバ）は、番組ＤＢ１３を用い、該当録画コンテンツのタグリストを検索するステップである。続いて、ステップＳ５０４に進む。
【０１３９】
ステップＳ５０４は、該当録画コンテンツのタグリストは検索されたかを判別するステップである。該当録画コンテンツのタグリストは検索されたかと判別される場合は、ステップＳ５０５に進む（Ｙｅｓ）。該当録画コンテンツのタグリストは検索されたかと判別されない場合は、ここでの処理を繰り返す（Ｎｏ）。
【０１４０】
ステップＳ５０６は、終了ステップであり、ここでの処理は終了する。
【０１４１】
例えば、ここでは、最初にユーザが検索対象を示すタグリストを手動で作成する際に、番組情報と時間情報を電子機器（モバイル端末等）１４からクラウド（画像検索サーバ）１５に送信し、クラウド（画像検索サーバ）１５は、既存のタグリストから該当番組のタグリストを検索する。そして、タグリストがある場合にはそのタグリストを、ない場合にはそれを示す状態変数を電子機器（モバイル端末等）１４に送信する。
【０１４２】
電子機器（モバイル端末等）１４は、受信した情報を表示画面に表示すると共に、ユーザに検索を行なうかどうかを判断させるメッセージを表示する。そして、ユーザが検索実行と判断すると、電子機器（モバイル端末等）１４からクラウド（画像検索サーバ）１５に検索要求を送信する。
【０１４３】
上記のように、この実施形態においては、上記タグリスト自動作成に用いられる検索対象の登録または修正において、例えば、電子機器（モバイル端末等）１４を用い、ユーザ自身が追加登録可能となるように構成している。
【０１４４】
このため、例えば、ユーザから要求があるであろう、多種多様なタグリストを、大量に作成することが可能になる。
【０１４５】
また、この実施形態にかかるシステムで作成されたタグリストを入力として新たなタグリストを作成することもできるので、容易にサービスを拡大することができる。
【０１４６】
また、上記のように、この実施形態においては、タグリストの真偽判定機能を備えることで、例えば、誤った（あるいは有効ではない）検索結果が生じた場合に、これをリストから排除して、正しい（あるいは有効な）タグリストを残すことができる。
【０１４７】
このため、上記自動および手動作成されたタグリストの信頼性を向上させることが可能になる。
【０１４８】
上記のように構成することによって、この実施形態においては、録画コンテンツを複数のユーザでシェア（共有）し、視聴するシステムにおいて、「タグ」を用いる検索のノイズを低減することが可能になる。
【０１４９】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１５０】
なお、上記実施形態は、記述そのものに限定されるものではなく、実施段階では、その趣旨を逸脱しない範囲で、構成要素を種々変形して具体化することが可能である。
【０１５１】
また、上記実施形態に開示されている複数の構成要素の適宜な組み合せにより種々の発明を形成できる。
【０１５２】
例えば、実施形態に示される全構成要素から幾つかの構成要素を削除してもよい。更に、異なる実施形態に亘る構成要素を適宜組み合せてもよい。
【符号の説明】
【０１５３】
１１…映像表示装置（テレビ）、１２…外部記録機器、１３…番組ＤＢ、１４…電子機器（ＩＰリモコン、スマートフォン）、１５…クラウド（サーバ）、３１…タグリスト一覧表示ボタン、３２ａ…タグリスト、３２ｂ…タグリスト、３３ａ…タグラー名、３３ｂ…タグラー名、３３ｃ…タグラー名、３３ｄ…タグラー名、３４ａ…タグラー名、３４ｂ…タグラー名、３４ｃ…タグラー名。
【図１】
2013097578.tif 000003
【図２】
2013097578.tif 000004
【図３】
2013097578.tif 000005
【図４】
2013097578.tif 000006
【図５】
2013097578.tif 000007
【図６】
2013097578.tif 000008
【図７】
2013097578.tif 000009
【図８】
2013097578.tif 000010
【図９】
2013097578.tif 000011